(57)【要約】      （修正有）【課題】小型且つ製造コストの低い、送受信可能な光ファイバソケットを提供する。【解決手段】第１収容空間と、第２収容空間と、中間収容空間を有する絶縁筺体と、２つの照明要素と  端子及び末端ブロックを有し、絶縁筺体の底面に２個の光ファイバプラグを収容して、一の照明要素は端子により絶縁筺体から伸張する。【選択図】図１
0003130547.tif 000002
【実用新案登録請求の範囲】
【請求項１】
回路基板上に取り付けられる光ファイバソケットであって、
第１収容空間と第２収容空間と、該第１収容空間と該第２収容空間の間に挟まれる中間収容空間とが形成され、該第１収容空間と該第２収容空間の底面に２個の光ファイバプラグを配置するための開口部が設けられた絶縁筺体と、
該第１収容空間に収容される導電端部を有する第１照明要素と、該第２収容空間に収容される導電端部を有する第２照明要素と、接続端部と延長端部とを有する複数の端子と、該第２照明要素の該導電端部を確実に配置するために、該該縁筺体に設置される末端ブロックとを有し、
該該回路基板と、該端子を介して接続される該第１照明要素と、該第２照明要素が互いに電気的に接続される光ファイバソケット。
【請求項２】
第１収容空間と第２収容空間の底面には、突出部と貫通孔が形成され、該貫通孔は絶縁筺体に形成される開口部と連通することを特徴とする、請求項１に記載の光ファイバソケット。
【請求項３】
照明要素を固定するために第１上部突出部と第２上部突出部が形成され、
該第１上部突出部は該第１収容空間の底面に形成され、該第２上部突起は該第２収容空間の底面に形成され、
該第２収容空間の側壁には下部突出部が形成され、該下部突出部は、該照明要素の該導電端部の伸張を可能にするように形成された下部通路を有することを特徴とする、請求項２に記載の光ファイバソケット。
【請求項４】
第１収容空間と中間収容空間の間の隔壁には、照明要素の導電端部を伸張するための複数のスリットが形成され、該スリットの対向する側面には、端子の接続端部を挿入するための誘導路が形成され、該中間収容空間と該第２収容空間の間の隔壁には、該端子の延長端子を収容するための溝が形成されることを特徴とする、請求項１に記載の光ファイバソケット。
【請求項５】
端子には、接続端部の下端に形成されるＵ字形窪みと、該接続端部の対向する側面から伸張する突耳とが形成され、該端子は、該突耳と導路の側壁とが当接して固定されることを特徴とする、請求項４に記載の光ファイバソケット。
【請求項６】
第２収容空間には、対向する側面にそれぞれＬ字止め具が設けられると共に、該Ｌ字止め具により受取凹部が形成され、該Ｌ止め具と突出部の間に通路が形成されることを特徴とする、請求項１に記載の光ファイバソケット。
【請求項７】
末端ブロックには、２列の貫通孔が形成されると共に、対向する側面から受取凹部に収容される２本の凸部が形成され、更に、突出部とＬ字止め具の間に設けられた通路に収容する２本のアームと、該アームにフックが形成されることを特徴とする、請求項１に記載の光ファイバソケット。
【考案の詳細な説明】
【技術分野】
【０００１】
本考案は光ソケットに関し、更に詳細には、光ファイバソケットで信号の入力と出力を完了するために該ソケットの側面に２つの開口部が形成され、２つの光ファイバプラグを該２つの開口部の中に挿入できるようにする、光ファイバソケットに関するものである。
【背景技術】
【０００２】
現代技術の発展に伴い、情報伝送に重要なのは通信速度である。速度は、我々の日常生活のほぼすべてを支配し、誰かが速度で優位に立つと、その人が主導権を握り、該優位が失われるまで他者をリードし続けるであろう。従って、現代社会において速度は全てである。
【０００３】
その要求に応じるために、光ファイバフィラメントを情報通信に使用するという概念が市場に導入された。光ファイバフィラメントには、高速信号伝送速度、クリアな信号、及び、信号損失の減少という優位点があり、該優位点から、光ファイバフィラメントは日々益々普及している。
【０００４】
２本の光ファイバ間で信号伝送を完了するために、光ファイバコネクタが考案された。この種の光ファイバコネクタは、プラスチック製であり、主に一方向のみの短距離信号伝送に使用される。
【０００５】
即ち、従来の光ファイバコネクタは、信号を一方にのみ移動可能であり、その逆は不可能である。大量の情報を伝送するという多くのニーズに答えるため、双方向の信号伝送を可能にする光ファイバコネクタが、信号伝送速度を向上させるに考案された。
【０００６】
信号を両方向で送信できるようにするこの種の光ファイバコネクタは、２個の光ファイバコネクタを相互に接続する、取り付け具付きの２個の個別の光ファイバコネクタから構成されている。この２個の個別の光ファイバコネクタを相互接続するための従来の取り付け具は、光ファイバコネクタ全体の寸法が巨大であり、また、製造コストが高い。この光ファイバコネクタの巨大な寸法は、スペース上の問題を有するという点で、需用者にとって不都合が生じていた。
【０００７】
また、光ファイバコネクタのように競争の激しい市場においては、製造コストの上昇は利益の減少に結びつき、製造メーカにおいても不都合が生じていた。
【考案の開示】
【考案が解決しようとする課題】
【０００８】
本考案は、上述したスペース上の不都合及び製造コストの不都合を克服し、信号伝送を両方向で行うことが可能とする、２つの光ファイバプラグを接続できる、改善された光ファイバソケットを提供することである。
【課題を解決するための手段】
【０００９】
請求項１に記載の考案は、回路基板上に取り付けられる光ファイバソケットであって、第１収容空間と第２収容空間と、該第１収容空間と該第２収容空間の間に挟まれる中間収容空間とが形成され、該第１収容空間と該第２収容空間の底面に２個の光ファイバプラグを配置するための開口部が設けられた絶縁筺体と、該第１収容空間に収容される導電端部を有する第１照明要素と、該第２収容空間に収容される導電端部を有する第２照明要素と、接続端部と延長端部とを有する複数の端子と、該第２照明要素の該導電端部を確実に配置するために、該該縁筺体に設置される末端ブロックとを有し、該該回路基板と、該端子を介して接続される該第１照明要素と、該第２照明要素が互いに電気的に接続される光ファイバソケットを特徴とする。
【００１０】
請求項２に記載の考案は、第１収容空間と第２収容空間の底面には、突出部と貫通孔が形成され、該貫通孔は絶縁筺体に形成される開口部と連通することを特徴とする、請求項１に記載の光ファイバソケットを特徴とする。
【００１１】
請求項３に記載の考案は、照明要素を固定するために第１上部突出部と第２上部突出部が形成され、該第１上部突出部は該第１収容空間の底面に形成され、該第２上部突起は該第２収容空間の底面に形成され、該第２収容空間の側壁には下部突出部が形成され、該下部突出部は、該照明要素の該導電端部の伸張を可能にするように形成された下部通路を有することを特徴とする、請求項２に記載の光ファイバソケットを特徴とする。
【００１２】
請求項４に記載の考案は、第１収容空間と中間収容空間の間の隔壁には、照明要素の導電端部を伸張するための複数のスリットが形成され、該スリットの対向する側面には、端子の接続端部を挿入するための誘導路が形成され、該中間収容空間と該第２収容空間の間の隔壁には、該端子の延長端子を収容するための溝が形成されることを特徴とする、請求項１に記載の光ファイバソケットを特徴とする。
【００１３】
請求項５に記載の考案は、端子には、接続端部の下端に形成されるＵ字形窪みと、該接続端部の対向する側面から伸張する突耳とが形成され、該端子は、該突耳と導路の側壁とが当接して固定されることを特徴とする、請求項４に記載の光ファイバソケットを特徴とする。
【００１４】
請求項６に記載の考案は、第２収容空間には、対向する側面にそれぞれＬ字止め具が設けられると共に、該Ｌ字止め具により受取凹部が形成され、該Ｌ止め具と突出部の間に通路が形成されることを特徴とする、請求項１に記載の光ファイバソケットを特徴とする。
【００１５】
請求項７に記載の考案は、末端ブロックには、２列の貫通孔が形成されると共に、対向する側面から受取凹部に収容される２本の凸部が形成され、更に、突出部とＬ字止め具の間に設けられた通路に収容する２本のアームと、該アームにフックが形成されることを特徴とする、請求項１に記載の光ファイバソケットを特徴とする。
【考案を実施するための最良の形態】
【００１６】
以下、添付図面を用いて本考案を説明する。
【００１７】
図１及び図５に図示したように、本実用新案により構成される光ファイバソケットは、絶縁筺体（１）と、２つの照明要素（２）と、３つの端子（３）と、末端ブロック（４）とから構成される。
【００１８】
絶縁筺体（１）の形状は、実質的に長方形であり、絶縁筺体（１）の底面に形成されている２つの開口部（１１）と、該２つの開口部（１１）と連通し、絶縁筺体（１）の上面に形成される上部開口部（１２）とを備える。
【００１９】
第１隔壁（１６）と第２隔壁（１７）は、絶縁筺体（１）の内部に取り付けられ、絶縁筺体（１）の内部を、第１収容空間（１３）及び第２収容空間（１４）と、該第１収容空間（１３）と該第２収容空間（１４）の間に挟まれる、中間収容空間（１５）とに分けている。
【００２０】
第１収容空間（１３）の底面（１３１）には、第１上部突出部（１３２）と、第１左側突出部（１３３）、該第１左側突出部（１３３）に対応して該第１左側突出部（１３３）と向かい合う第１右側突出部（１３４）、及び、該第１上部突出部（１３２）に対応して該第１上部突出部（１３２）に向かい合う第１下部突出部（１３５）から構成される、突出部の第１グループが形成される。
【００２１】
第２収容空間（１４）の底面（１４１）には、第２上部突出部（１４２）と、第２左側突出部（１４３）、該第２左側突出部（１４３）に対応して該第２左側突出部（１４３）に向かい合う第２右側突出部（１４４）、及び、該第２上部突出部（１４２）に対応し、該第２上部突出部（１４２）と向かい合う第２下部突出部（１４５）から構成される、突出部の第２グループが形成される。
【００２２】
第１左側突出部（１３３）の上部には第１左側突起（１３３１）が形成され、第１右側突出部（１３４）の上部には該第左側突起（１３３１）に対応する第１右側突起（１３４１）が形成され、第１下部突出部（１３５）の上部には上部通路（１３５１）が形成される。
【００２３】
第２左側突出部（１４３）の上部には第２左側突起（１４３１）が形成され、第２右側突出部（１４４）の上部には該第２左側突起（１４３１）に対応する第２右側突起（１４４１）が形成され、第２下部突出部（１４５）には、その上に下部通路（１４５１）が形成される。
【００２４】
第１グループの突出部は第１領域（１３６）を囲み、第２のグループの突出部は第２領域（１４６）を囲む。
【００２５】
第１領域（１３６）の第１収容空間（１３）の底面（１３１）には、２つの開口部（１１）の一の開口部と連通する第１貫通孔（１３７）が設けられる。
【００２６】
第２領域（１４６）の第２収容空間（１４）の底面（１４１）にも、２つの開口部（１１）の他方の開口部と連通する第２貫通孔（１４７）が設けられる。
【００２７】
第１隔壁（１６）には、複数のスリット（１６１）が形成され、スリット（１６１）の内側には溝からなる誘導路（１６２）が形成される。そして、隣接する該スリット（１６１）は、スリット（１６１）の内側で誘導路（１６２）と連通している。
【００２８】
第２隔壁（１７）には、第１隔壁（１６）のスリット（１６１）の１つに対応する溝（１７１）が設けられる。
【００２９】
第２収容空間（１４）の側面は切欠き（１８）が形成されると共に、２個のＬ字型止め具（１９）がそれぞれ対向するように設けられる。
【００３０】
突出部（１４５２）は、該２つの止め具（１９）の対応するように一の止め具（１９）に隣接して、離間して形成される。
【００３１】
Ｌ字形止め具（１９）を設けることで、それぞれのＬ字型止め具（１９）に、受取凹部（１９１）が形成される。また、該突出部（１４５２）を設けることで、それぞれのＬ字形止め具（１９）とそれぞれ突出部（１４５２）の間には、通路（１９２）が形成される。
【００３２】
各照明要素（２）は、信号伝送に関する電子部品であり、係合端部（２１）と導電端部（２２）とを有する。２つの照明要素（２）の一の照明要素の係合端部（２１）は第１収容空間（１３）に収容される。更に詳細には、照明要素（２）の一は、第１領域（１３６）に収容され、係合端部（２１）は、第１上部突出部（１３２）、第１左側突起（１３３１）、第１右側突起（１３４１）によって締着される。
【００３３】
この照明要素（２）の導電端部（２２）は、第１下部突出部（１３５）における上部通路（１３５１）から外部に伸張する。
【００３４】
２つの照明要素（２）の他方の照明要素に係る係合端部（２１）は、第２領域（１４６）に収容され、第２上部突出部（１４２）、第２左側突起（１４３１）、第右側突起（１４４１）によって締着される。
【００３５】
その結果、２つの照明要素（２）は、それぞれ第１領域（１３６）と第２領域（１４６）の内部で固定される。
【００３６】
更に、２つの照明要素（２）の一方の照明要素に係る導電端部（２２）は、第２下部突出部（１４５）に形成される下部通路（１４５１）から伸張することで、絶縁筺体（１）の中から伸張する。
【００３７】
各端子（３）には、延長端部（３１）と、接続端部（３２）と、該接続端部（３２）の下面に形成されるＵ字形窪み（３３）、及び、それぞれ接続端部（３２）の２つの対向する側面に形成される２つの突耳（３４）が形成される。
【００３８】
各端子（３）の接続端部（３２）は、対応する一の誘導路（１６２）に挿入して、対応する一のスリット（１６１）に収容する。
【００３９】
図２及び図３に図示したように、端子（３）の接続端部（３２）を一のスリット（１６１）に収容する前に、第１領域（１３６）に収容される照明要素（２）の導電端部（２２）を、上部通路（１３５１）からスリット（１６１）の中へ伸張する。これにより、接続端部（３２）が、対応するスリット（１６１）に収容されることで、照明要素（２）の導電端部（２２）と端子（３）のＵ字形窪み（３３）が確実に収容され、接続端部（３２）とが当接する。
【００４０】
末端ブロック（４）は、第２領域（１４６）内に収容される照明要素（２）の導電端部（２２）と、端子（３）の延長端部（３１）を固定するために用いられる。
【００４１】
末端ブロック（４）は、本体（４１）と、それぞれ導電端部（２２）と延長端部（３１）に対応するため、該本体（４１）に形成される２列の貫通孔（４２）と、該本体（４１）の対抗する２つの側面からそれぞれ伸張して収容凹部（１９１）に収容される２本の凸部（４３）と、本体の後部側面から伸張する２本のアーム（４４）と、該２本のアーム（４４）に対応する自由端に形成される２個のフック（４５）が形成される。
【００４２】
図２及び図３（参考として図４及び図５を参照。）に図示したように、本考案の光ファイバソケットを組み立てる際は、２つの照明要素（２）をそれぞれ第１領域（１３６）と第２領域（１４６）に収容し、第１領域（１３６）に収容された照明要素（２）の導電端部（２２）を、第１隔壁（１６）のスリット（１６１）の中に設置する。そして、第２領域（１４６）に収容された照明要素（２）の導電端部（２２）を下部通路（１４５１）に設置する。
【００４３】
更に、末端ブロック（４）を、切欠き（１８）及びＬ字止め具（１９）の対応する一に配置して、末端ブロック（４）の凸部（４３）を受取凸部（１９１）に配置すると共に、末端ブロック（４）の後部の２本のアーム（４４）を通路（１９２）に配置して、フック（４５）を用いて確実に固定する。
【００４４】
この際、末端ブロック（４）の貫通孔（４２）から、導電端部（２２）及び延長端子（３１）を引き出す。
【００４５】
端子（３）は、接続端部（３２）の下端に設けられたU字型窪み（３３）により、第１領域（１３６）に収容される照明要素（２）の導電端部（２２）を締着し、端子（３）は誘導路（１６２）に挿入してスリット（１６１）に収容する。
【００４６】
また、端子（３）の接続端部（３２）の２つの対向する側面から伸張する突耳（３４）により、端子（３）を対応するスリット（１６１）に収容した際に、突耳（３４）と誘導路路（１６２）の側壁とが当接し、端子（３）をスリット（１６１）の内部で確実に固定することができる。
【００４７】
加えて、第１領域（１３６）に収容される照明要素（２）の導電端部（２２）に電気的に接続される端子（３）の延長端部（３１）は、第２下部突出部（１４５）の下部通路（１４５１）を通過後、末端ブロック（４）の他列の貫通孔（４２）を通って引き伸ばされる。
【００４８】
照明要素（２）の導電端部（２２）と端子（３）の延長端部（３１）が、末端ブロック（４）の貫通孔（４２）の中から伸張することで、本考案の光ファイバソケットは、プリント基板（ＰＣＢ）と接続することができる。
【００４９】
２つの開口部（１１）の中に設置される光ファイバプラグ（図示せず）は、次に信号伝送ループを完了するために、それぞれ２つの照明要素（２）に電気的に接続される。
【００５０】
同構造は、３つの開口部、４つの開口部等に適用可能であり、複数の光ファイバプラグによって、双方向の情報の入力及び出力伝送を行うことが可能である。
【００５１】
しかしながら、下記実施例は、本考案の好適な実施の形態を示したものにすぎず、本考案の技術的範囲は、下記実施例そのものに何ら限定されるものではない。
【図面の簡単な説明】
【００５２】
【図１】本考案に係る光ファイバソケットの分解斜視図である。
【図２】本考案に係る光ファイバソケットの２つの照明要素が絶縁筺体に収容される状態示す斜視図である。
【図３】本考案に係る光ファイバソケットの２つの端子が絶縁筺体に収容される状態を示す斜視図である。
【図４】本考案に係る光ファイバソケットの２つの端子を組み立てた状態を示す斜視図である。
【図５】本考案に係る光ファイバソケットの絶縁筺体の底面の２つの開口部を示す斜視図である。
【符号の説明】
【００５３】
１        絶縁筺体
１３      第１収容空間
１３１    底面
１３２    第１上部突出部
１３３    第１左側突出部
１３４    第１右側突出部
１３５    第１下部突出部
１３６    第１領域
１３７    第１貫通孔
１３３１  第１左側突起
１３４１  第１右側突起
１３５１  上部通路
１４      第２収容空間
１４１    底面
１４２    第２上部突出部
１４３    第２左側突出部
１４４    第２右側突出部
１４５    第２下部突出部
１４６    第２領域
１４３１  第２左側突起
１４４１  第２右側突起
１４５１  下部通路
１４５２  突出部
１５      中間収容空間
１６      第１隔壁
１６１    スリット
１６２    誘導路
１７      第２隔壁
１７１    溝
１８      切り欠き
１９      Ｌ字止め具
１９１    受取凹部
１９２    通路
２        照明要素
２１      係合端部
２２      導電端部
３        端子
３１      延長端子
３２      接続端部
３３      Ｕ字型窪み
３４      突耳
４        末端ブロック
４１      本体
４２      貫通孔
４３      凸部
４４      アーム
４５      フック
【図１】
0003130547.tif 000003
【図２】
0003130547.tif 000004
【図３】
0003130547.tif 000005
【図４】
0003130547.tif 000006
【図５】
0003130547.tif 000007